(57)【要約】      （修正有）【課題】連結幹が熱くなることにより内部の電線が悪影響を受けるのを防ぐとともに、熱損失を最小化できる加熱調理器を提供する。【解決手段】内部に熱源体が備えられる上部体２と、上部体の下部に位置して肉が焼かれるか、食べ物が調理される調理板３が載せられる下部体４と、上部体と下部体とを連結する連結幹５からなる加熱調理器において、調理板３の一側には、連結幹の前面の少なくとも一部を覆う熱遮断体１０が備えられて、連結幹に熱が伝達されることを遮断する。また、上部体内部の熱源体の上部には第１放熱体及び第２放熱体が設けられ、熱源体の熱が調理板側に伝達されないで上部体を通してそのまま外側に放熱されることを防ぐことによって、熱損失を最小化できる。【選択図】図１
0003187323.tif 000002
【実用新案登録請求の範囲】
【請求項１】
内部に熱源体が備えられる上部体と、前記上部体の下部に位置されて肉が焼かれるか、食べ物が調理される調理板が載せられる下部体と、前記上部体と下部体とを連結する連結幹とを含む加熱調理器において、
前記調理板の一側には、前記連結幹の前面の少なくとも一部を覆う熱遮断体がさらに備えられ、該熱遮断体は前記連結幹側に熱が伝達されることを遮断するように構成されることを特徴とする加熱調理器。
【請求項２】
前記熱遮断体は、前記調理板の一側から延びる延長片と、前記延長片から垂直に延びて前記連結幹の前面に位置する遮断板からなることを特徴とする、請求項１に記載の加熱調理器。
【請求項３】
前記上部体の内部には、前記熱源体の上部に位置する第１放熱体と、前記第１放熱体の上部に位置する第２放熱体とがさらに備えられることを特徴とする、請求項１に記載の加熱調理器。
【考案の詳細な説明】
【技術分野】
【０００１】
本考案は、熱遮断体が備えられた加熱調理器に関し、より詳細には加熱調理器の熱源体が備えられる上部体と調理板が備えられる下部体を連結する連結幹側に熱が伝えられることを防ぐようにするだけでなく、熱源体に放熱体をさらに備えて熱源体の熱が調理板側に伝達されないで上部体を通して放熱されることを防ぎ、熱源損失を最小化できるようにした熱遮断体が備えられた加熱調理器に関するものである。
【背景技術】
【０００２】
一般に、熱が伝えられるメカニズムは、伝導(Ｃｏｎｄｕｃｔｉｏｎ)と対流(Ｃｏｎｖｅｃｔｉｏｎ)及び輻射(Ｒａｄｉａｔｉｏｎ)に大別され、伝導熱は、主に固体によって伝達され、対流熱は、主に気体によって伝達される。
【０００３】
そして、輻射熱は、ある発熱体の表面から電磁波形態のエネルギーが放出される過程によって熱が伝達されるもので、媒質がない状態でも熱が光の速度で放出されて、被写体まで直接伝達される。このような輻射熱の波長範囲は、赤外線から可視光線領域を通して波長が最も短い紫外線領域にまで至り、可視光線や紫外線に比べて遠赤外線と、近、中赤外線のような赤外線波長領域帯が最も強い熱作用を持つと知られている。
【０００４】
これにより、赤外線を利用した料理用品が種々開発されてきており、このような従来の赤外線料理容器には、外部が石英管で構成された赤外線ランプと、前記赤外線ランプの上段に設置された料理容器と、前記赤外線ランプの下段に設置された反射板で構成される赤外線焼肉器がある。このような赤外線焼肉器は、赤外線ランプが料理容器を加熱して、この料理容器が肉の下部だけが煮える一方向加熱方式であって、肉が焦げないように引っくり返し続ける不便があり、熱効率も落ちる。
【０００５】
さらに、焼き網上部に適当な距離をおいて近赤外線ランプを設置して、このランプ上部には反射板を設置した肉類焼器があり、このような肉類焼器は、焼き網の上に載せられた肉に直接近赤外線を照射して肉を焼くため、肉質内部にまでまんべんなく火を通すことができる長所がある。
【０００６】
しかし、前記肉類焼器もランプから照射される近赤外線が肉の上部だけを加熱する一方向加熱方式であり、肉をひっくり返し続けなければならない不便があった。
【０００７】
しかも、このような赤外線を利用した料理容器の場合、料理容器に載せられた食品を煮るのに時間がかかる問題と共に、料理容器に載せられた食品を加熱するためには、長時間にかけて赤外線ランプを点灯させなければならないため、これによる電気料金の増加による費用負担が追加的に発生する問題がある。
【０００８】
そこで、本出願人は大韓民国特許公開１０−２０１２−００８２３７９号の反射体が備えられた料理容器を考案したことがあり、これは熱源体の周部を包設する反射体がさらに備えられることによって、熱源体から放出される熱が上部に抜け出ることによって引き起こされる熱損失を最小化できるだけでなく、熱源体の熱が焼き板側に放出される熱放出効率性を高めて消費電力を最小化することによって、電力浪費を減らすことができ、電力費用を大きく節減させることができ、安全網体によってユーザの手が熱によって火傷を負うことを防げて安全に使えるようにしている。
【０００９】
しかし、このような従来技術は、上部体と下部体とを連結する連結幹側に上部体から照射される熱が伝達されることによって連結幹が熱くなり、熱くなり過ぎた場合、連結幹の内部に備えられる電線などに悪影響を及ぼす問題がある。
【００１０】
また、反射体だけでは、熱源体の熱損失を減らすことはできないさらなる問題がある。
【先行技術文献】
【特許文献】
【００１１】
【特許文献１】大韓民国特許公開第１０−２０１２−００８２３７９号
【特許文献２】大韓民国特許公開第１０−２０１２−０１０７９０４号
【考案の概要】
【考案が解決しようとする課題】
【００１２】
本考案は、連結幹の前面を遮る熱遮断体をさらに備えることによって連結幹側に熱が伝達されることを遮断することによって、連結幹が熱くなることにより引き起こされる問題を解決して、上部体の内部に放熱体をさらに備えて熱損失を最小化できるようにした熱遮断体が備えられた加熱調理器を提供することにその目的がある。
【課題を解決するための手段】
【００１３】
前記目的を達成するための手段として、本考案の熱遮断体が備えられた加熱調理器は、内部に熱源体が備えられる上部体と、前記上部体の下部に位置されて肉が焼かれるか、食べ物が調理される調理板が載せられる下部体と、前記上部体と下部体とを連結する連結幹からなる加熱調理器において、前記調理板の一側には、前記連結幹の前面の少なくとも一部を覆う熱遮断体がさらに備えられ、該熱遮断体は前記連結幹側に熱が伝達されることを遮断するように構成される。
【００１４】
前記熱遮断体は、前記調理板の一側から延びる延長片と、前記延長片から垂直に延びて前記連結幹の前面に位置する遮断板からなる。
【００１５】
前記上部体の内部には、熱源体の上部に位置する第１放熱体と、前記第１放熱体の上部に位置される第２放熱体がさらに備えられて構成される。
【考案の効果】
【００１６】
本考案は、連結幹の前面に熱遮断体がさらに備えられることによって、熱源体の熱が連結幹側に伝達されることが遮断されるため、連結幹が熱によって熱くなることにより引き起こされる問題を解決して、第１放熱体及び第２放熱体によって熱源体が調理板側に伝達されないで上部体を通してそのまま外側に放熱されることを防ぐことによって熱損失を未然に防ぐことができる。
【図面の簡単な説明】
【００１７】
【図１】本考案の熱遮断体が備えられた加熱調理器の一例を示した斜視図である。
【図２】本考案の熱遮断体が備えられた加熱調理器の他の例を示した斜視図である。
【図３】本考案の熱遮断体が備えられた加熱調理器の構成要部を一部切開した状態の構成図である。
【図４】本考案の熱遮断体が備えられた加熱調理器の他の実施形態を示した構成図である。
【図５】図３のＡ部分拡大図であり、本考案の熱遮断体が備えられた加熱調理器の構成要部を拡大した構成断面図である。
【考案を実施するための形態】
【００１８】
以下、前記目的の他に本考案の他の目的及び特徴は添付図を参照した実施形態に対する説明を通して明確になる。
【００１９】
本出願で用いられた用語は、単に特定の実施形態を説明するために用いられ、本考案を限定しようとする意図はなく、改めて定義されない限り、技術的或いは科学的な用語を含んで、ここで用いられる全ての用語は、本考案が属する技術分野において通常の知識を有する者によって通常理解できるものと同じ意味を持っている。通常用いられる辞書に定義されているような用語は、関連技術の文脈上持つ意味と一致する意味を持つものと解釈されるべきで、本出願で明白に定義しない限り、理想的または過度に形式的な意味と解釈されない。
【００２０】
以下、本考案の実施形態に係る熱遮断体が備えられた加熱調理器を、添付図を参照してより具体的に説明する。
【００２１】
図示されたように本考案の熱遮断体が備えられた加熱調理器は、内部に熱源体１が備えられる上部体２と、前記上部体２の下部に位置されて肉が焼かれるか、食べ物が調理される調理板３が載せられる下部体４と、前記上部体２と下部体４とを連結する連結幹５からなる加熱調理器において、前記調理板３の一側には前記連結幹５の前面を包設する熱遮断体１０がさらに備えられて、前記連結幹５側に熱が伝達されることを遮断するように構成される。
【００２２】
前記熱源体１、上部体２、調理板３、下部体４、及び連結幹５は、上部体２に備えられた熱源体１の熱が、下部体４に備えられた調理板３側に伝達されることによって調理板３に載せたれた肉が焼かれたり、または食物が料理される公知技術であるため、これに対する具体的な説明は省略する。
【００２３】
図１に示された加熱調理器は、チゲや寄せ鍋等を調理する時に用いられる調理板３が載せられたもので、図２に示された加熱調理器は、肉を焼く時に用いられる調理板３が載せられたものを示す。
【００２４】
前記のように構成された本考案は、熱遮断体１０がさらに備えられて、この熱遮断体１０が連結幹５の前面に位置し、連結幹５の前面を遮ることによって連結幹５側に熱が伝達されることが遮断される。
【００２５】
これにより、連結幹５が熱くなることが防止されるため、連結幹５の内部構成要部が伝達される熱によって損傷を受けたり、または、ユーザが上部体の高さを調節する過程において熱くなった連結幹５によって手に火傷を負ったりすることが防がれる。
【００２６】
前記熱遮断体１０は、前記調理板３の一側から延びる延長片１１と、前記延長片１１から垂直に延びて前記連結幹５の前面に位置する遮断板１２からなる。
【００２７】
ここで、前記熱遮断体１０の材質は、前記調理板３の材質と同じ材質からなり、前記調理板３を製造時に調理板３と一体で連結されて製造されてもよい。
【００２８】
また、前記熱遮断体１０の材質を前記調理板３の材質とは異なった材質とし、熱が連結幹５側に伝達されることを遮断できる材質で別途製造した後、調理板３とボルト及びナット、または溶接作業などによって結合して備えられてもよい。
【００２９】
このようにして備えられた熱遮断体１０は、前記遮断板１２が前記連結幹５の前面に位置した状態で、図３に示されたように、連結幹５の長手方向に延びて設けられることによって、連結幹５側に熱が伝達されることを遮断する。
【００３０】
また、前記熱遮断体１０の遮断板１２は、図４に示されたように、上部が傾斜するように折り曲げられてもよく、これは前記連結幹５の上部側に連結幹５の形状に沿って延びて位置するためである。
【００３１】
また、本考案では、前記上部体２の内部には、熱源体１の上部に位置する第１放熱体２０と、前記第１放熱体２０の上部に位置される第２放熱体３０がさらに備えられて構成される。
【００３２】
これにより、図５に示されたように、熱源体１の上部に各々第１放熱体２０と第２放熱体３０が備えられているため、熱源体１の熱が熱源体１の上部方向に上昇し、上部体２を通して外側に排出されることが遮断される。従って、熱源体１の熱損失を最小化することができる。
【００３３】
なお、前記第１放熱体２０または第２放熱体３０の材質は、熱源体１から伝達される熱をさらに熱源体１の下部側に集中させることができる材質であれば、多様な材質変更が可能である。
【００３４】
以上のように本考案は、具体的な構成要素等のような特定事項と、限定された実施形態及び図面によって説明されたが、これは本考案のより全般的な理解を助けるために提供されただけであって、本考案は、前記実施形態に限定されるものではなく、本考案が属する分野において通常の知識を有する者なら、このような記載から多様な修正及び変形が可能である。
【００３５】
従って、本考案の思想は、説明された実施形態に限定されて決まるものではない。また、後述する請求の範囲だけでなく、請求の範囲と均等或いは等価的変形のある全てのものは本考案思想の範疇に属する。
【符号の説明】
【００３６】
１    熱源体
２    上部体
３    調理板
４    下部体
５    連結幹
１０    熱遮断体
１１    延長片
１２    遮断板
２０    第１放熱体
３０    第２放熱体
【図１】
0003187323.tif 000003
【図２】
0003187323.tif 000004
【図３】
0003187323.tif 000005
【図４】
0003187323.tif 000006
【図５】
0003187323.tif 000007